(57)【要約】【課題】顔面の頬部などの広範部も鼻横などの狭小部も良好にマッサージすることができる体表マッサージ装置を提供する。【解決手段】体表マッサージ装置１００は、上下方向に細長く手指ＨＦで把持されるハンドル部材１１０、その上端に位置して左右方向に一列に配列されている各々球状の複数の連設回転部材１２０、複数の連設回転部材１２０を左右方向と平行な軸心方向で個々に回転自在に軸支している上部回転機構１３０、ハンドル部材１１０の下端に位置して軸心方向が上下方向と平行な回転体状の単独回転部材１４０、単独回転部材１４０を上下方向と平行な軸心方向で回転自在に軸支している下部回転機構１５０、を有する。一列に配列されている複数の連設回転部材１２０と一個の単独回転部材１４０により簡単な操作で体表をマッサージすることができる。【選択図】図１
2009142527.tif 000002
【特許請求の範囲】
【請求項１】
顔面などの体表をマッサージすることに利用される体表マッサージ装置であって、
上下方向に細長く手指で把持されるハンドル部材と、
前記ハンドル部材の上端に位置していて左右方向に一列に配列されている各々球状の複数の連設回転部材と、
複数の前記連設回転部材を前記ハンドル部材の上端で左右方向と平行な軸心方向で個々に回転自在に軸支している上部回転機構と、
前記ハンドル部材の下端に位置していて軸心方向が上下方向と平行な回転体状の単独回転部材と、
前記単独回転部材を前記ハンドル部材の下端で上下方向と平行な軸心方向で回転自在に軸支している下部回転機構と、
を有する体表マッサージ装置。
【請求項２】
上部回転機構は、前記ハンドル部材の上端から上方にＵ字状に形成されているＵ型支持部と、
前記Ｕ型支持部の左右一対の上端に連結されていて複数の前記連設回転部材を軸支している回転支持軸と、
前記Ｕ型支持部の左右両端に個々に固定されている回転不能の球状の一対の球状固定部材と、
を有する請求項１に記載の体表マッサージ装置。
【請求項３】
前記球状固定部材は、前記連設回転部材より小径に形成されている請求項２に記載の体表マッサージ装置。
【請求項４】
前記連設回転部材は、真球状に形成されており、
前記単独回転部材は、軸心方向が上下方向と平行で少なくとも下端が半球状に成形された円柱状に形成されている請求項１ないし３の何れか一項に記載の体表マッサージ装置。
【請求項５】
前記単独回転部材は、前記連設回転部材より大径に形成されている請求項１ないし４の何れか一項に記載の体表マッサージ装置。
【請求項６】
前記単独回転部材は、
少なくとも上端が半球状に成形された円柱状の下部回転本体と、
前記下部回転本体の外周面に形成された異形凸部と、
を有する請求項５に記載の体表マッサージ装置。
【請求項７】
前記単独回転部材は、上下方向と平行な半円柱状の複数の前記異形凸部が前記下部回転本体の外周面に周面方向に連設されている請求項６に記載の体表マッサージ装置。
【請求項８】
前記単独回転部材は、半球状の複数の前記異形凸部が前記下部回転本体の外周面に周面方向と軸心方向とに連設されている請求項６に記載の体表マッサージ装置。
【請求項９】
前記ハンドル部材は、長手方向に着脱自在なハンドル下部とハンドル上部からなり、
前記連設回転部材は前記上部回転機構により前記ハンドル上部に装着されており、
前記単独回転部材は前記下部回転機構により前記ハンドル下部に装着されている請求項１ないし８の何れか一項に記載の体表マッサージ装置。
【請求項１０】
前記ハンドル上部の上端に位置していて軸心方向が上下方向と平行な回転体状のアタッチメント回転部材と、
前記アタッチメント回転部材を前記ハンドル上部の上端で上下方向と平行な軸心方向で回転自在に軸支しているアタッチメント回転機構とを、
さらに有する請求項９に記載の体表マッサージ装置。
【請求項１１】
前記アタッチメント回転部材は、
少なくとも上端が半球状に成形された円柱状のアタッチメント回転本体と、
前記アタッチメント回転本体の外周面に形成されたアタッチメント凸部と、
を有する請求項１０に記載の体表マッサージ装置。
【請求項１２】
前記アタッチメント回転部材は、上下方向と平行な半円柱状の複数の前記アタッチメント凸部が前記アタッチメント回転本体の外周面に周面方向に連設されている請求項１１に記載の体表マッサージ装置。
【請求項１３】
前記アタッチメント回転部材は、半球状の複数の前記アタッチメント凸部が前記アタッチメント回転本体の外周面に周面方向と軸心方向とに連設されている請求項１１に記載の体表マッサージ装置。
【請求項１４】
前記アタッチメント回転部材は、前記単独回転部材より大径に形成されている請求項１０ないし１３の何れか一項に記載の体表マッサージ装置。
【請求項１５】
前記アタッチメント回転部材は、前記単独回転部材より長軸に形成されている請求項１０ないし１４の何れか一項に記載の体表マッサージ装置。
【請求項１６】
少なくとも前記アタッチメント回転部材がチタンを主成分とする金属で形成されている請求項１０ないし１５の何れか一項に記載の体表マッサージ装置。
【請求項１７】
前記アタッチメント回転部材の表面の少なくとも一部がチタンとゲルマニウムとを主成分とする合金膜で被覆されている請求項１６に記載の体表マッサージ装置。
【請求項１８】
少なくとも前記連設回転部材と前記単独回転部材とがチタンを主成分とする金属で形成されている請求項１ないし１７の何れか一項に記載の体表マッサージ装置。
【請求項１９】
前記連設回転部材と前記単独回転部材との表面の少なくとも一部がチタンとゲルマニウムとを主成分とする合金膜で被覆されている請求項１８に記載の体表マッサージ装置。
【発明の詳細な説明】
【技術分野】
【０００１】
本発明は、体表をマッサージすることに利用される体表マッサージ装置に関し、特に、顔面のマッサージに利用される体表マッサージ装置に関する。
【背景技術】
【０００２】
現在、回転体を利用した体表マッサージ装置がある。このような体表マッサージ装置では、一般的に細長形状のハンドル部材の一端に、円柱状などの回転体が回転自在に軸支されている（例えば、特許文献１〜３参照）。
【特許文献１】特開平０４−０５３５６７号公報
【特許文献２】特開平０８−１０３３２５号公報
【特許文献３】特開２００５−２４５８２６号公報
【発明の開示】
【発明が解決しようとする課題】
【０００３】
しかし、円柱状の回転体をハンドル部材の一端に軸支した構造の体表マッサージ装置では、当然ながら、その回転体のみを利用して体表をマッサージすることになる。このため、基本的に一種類のマッサージしか実施できない。
【０００４】
一方、そのマッサージの主要な対象となる顔面は複雑な凹凸がある。例えば、顔面には頬部などの広範部とともに鼻横などの狭小部もある。このため、従来の体表マッサージ装置の一個の回転体による一種類のマッサージで、顔面の全域を最適にマッサージするようなことは困難である。
【０００５】
本発明は上述のような課題に鑑みてなされたものであり、顔面の頬部などの広範部も鼻横などの狭小部も良好にマッサージすることができる体表マッサージ装置を提供するものである。
【課題を解決するための手段】
【０００６】
本発明の体表マッサージ装置は、顔面などの体表をマッサージすることに利用される体表マッサージ装置であって、上下方向に細長く手指で把持されるハンドル部材と、ハンドル部材の上端に位置していて左右方向に一列に配列されている各々球状の複数の連設回転部材と、複数の連設回転部材をハンドル部材の上端で左右方向と平行な軸心方向で個々に回転自在に軸支している上部回転機構と、ハンドル部材の下端に位置していて軸心方向が上下方向と平行な回転体状の単独回転部材と、単独回転部材をハンドル部材の下端で上下方向と平行な軸心方向で回転自在に軸支している下部回転機構と、を有する。
【０００７】
従って、本発明の体表マッサージ装置では、例えば、上端が上方に位置する状態でハンドル部材を手指で把持し、連設回転部材を顔面などの体表に接触させて上下方向に往復移動させると、一列に配列されている複数の連設回転部材が個々に回転しながら体表を転動する。また、例えば、下端が上方に位置する状態でハンドル部材を手指で把持し、単独回転部材を顔面などの体表に接触させて左右方向に往復移動させると、単独回転部材が回転しながら体表を転動する。このため、一列に配列されている複数の連設回転部材と一個の単独回転部材により簡単な操作で体表がマッサージされる。
【０００８】
また、本発明の体表マッサージ装置において、上部回転機構は、ハンドル部材の上端から上方にＵ字状に形成されているＵ型支持部と、Ｕ型支持部の左右一対の上端に連結されていて複数の連設回転部材を軸支している回転支持軸と、Ｕ型支持部の左右両端に個々に固定されている回転不能の球状の一対の球状固定部材と、を有してもよい。
【０００９】
また、本発明の体表マッサージ装置において、球状固定部材は、連設回転部材より小径に形成されていてもよい。
【００１０】
また、本発明の体表マッサージ装置において、連設回転部材は、真球状に形成されており、単独回転部材は、軸心方向が上下方向と平行で少なくとも下端が半球状に成形された円柱状に形成されていてもよい。
【００１１】
また、本発明の体表マッサージ装置において、単独回転部材は、連設回転部材より大径に形成されていてもよい。
【００１２】
また、本発明の体表マッサージ装置において、単独回転部材は、少なくとも上端が半球状に成形された円柱状の下部回転本体と、下部回転本体の外周面に形成された異形凸部と、を有してもよい。
【００１３】
また、本発明の体表マッサージ装置において、単独回転部材は、上下方向と平行な半円柱状の複数の異形凸部が下部回転本体の外周面に周面方向に連設されていてもよい。
【００１４】
また、本発明の体表マッサージ装置において、単独回転部材は、半球状の複数の異形凸部が下部回転本体の外周面に周面方向と軸心方向とに連設されていてもよい。
【００１５】
また、本発明の体表マッサージ装置において、ハンドル部材は、長手方向に着脱自在なハンドル下部とハンドル上部からなり、連設回転部材は上部回転機構によりハンドル上部に装着されており、単独回転部材は下部回転機構によりハンドル下部に装着されていてもよい。
【００１６】
また、本発明の体表マッサージ装置において、ハンドル上部の上端に位置していて軸心方向が上下方向と平行な回転体状のアタッチメント回転部材と、アタッチメント回転部材をハンドル上部の上端で上下方向と平行な軸心方向で回転自在に軸支しているアタッチメント回転機構とを、さらに有してもよい。
【００１７】
また、本発明の体表マッサージ装置において、アタッチメント回転部材は、少なくとも上端が半球状に成形された円柱状のアタッチメント回転本体と、アタッチメント回転本体の外周面に形成されたアタッチメント凸部と、を有してもよい。
【００１８】
また、本発明の体表マッサージ装置において、アタッチメント回転部材は、上下方向と平行な半円柱状の複数のアタッチメント凸部がアタッチメント回転本体の外周面に周面方向に連設されていてもよい。
【００１９】
また、本発明の体表マッサージ装置において、アタッチメント回転部材は、半球状の複数のアタッチメント凸部がアタッチメント回転本体の外周面に周面方向と軸心方向とに連設されていてもよい。
【００２０】
また、本発明の体表マッサージ装置において、アタッチメント回転部材は、単独回転部材より大径に形成されていてもよい。
【００２１】
また、本発明の体表マッサージ装置において、アタッチメント回転部材は、単独回転部材より長軸に形成されていてもよい。
【００２２】
また、本発明の体表マッサージ装置において、少なくともアタッチメント回転部材がチタンを主成分とする金属で形成されていてもよい。
【００２３】
また、本発明の体表マッサージ装置において、アタッチメント回転部材の表面の少なくとも一部がチタンとゲルマニウムとを主成分とする合金膜で被覆されていてもよい。
【００２４】
また、本発明の体表マッサージ装置において、少なくとも連設回転部材と単独回転部材とがチタンを主成分とする金属で形成されていてもよい。
【００２５】
また、本発明の体表マッサージ装置において、連設回転部材と単独回転部材との表面の少なくとも一部がチタンとゲルマニウムとを主成分とする合金膜で被覆されていてもよい。
【００２６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２７】
また、本発明では前後左右上下の方向を規定しているが、これは本発明の構成要素の相対関係を簡単に説明するために便宜的に規定したものであり、本発明を実施する場合の製造時や使用時の方向を限定するものではない。
【００２８】
さらに、本発明で云うＵ字状とは、並列な一対の線形の部分と、これらの部分の一端を連結する部分と、が連続している形状を意味しており、その一対の部分を連結している部分は湾曲していても線形でもよい。
【発明の効果】
【００２９】
本発明の体表マッサージ装置では、例えば、上端が上方に位置する状態でハンドル部材を手指で把持し、連設回転部材を顔面などの体表に接触させて上下方向に往復移動させると、一列に配列されている複数の連設回転部材が個々に回転しながら体表を転動する。また、例えば、下端が上方に位置する状態でハンドル部材を手指で把持し、単独回転部材を顔面などの体表に接触させて左右方向に往復移動させると、単独回転部材が回転しながら体表を転動する。このため、一列に配列されている複数の連設回転部材と一個の単独回転部材により簡単な操作で体表をマッサージすることができる。特に、一列に配列されている複数の連設回転部材により、顔面の頬部などの広範部も良好にマッサージすることができ、一個の単独回転部材により、顔面の鼻横などの狭小部も良好にマッサージすることができる。
【発明を実施するための最良の形態】
【００３０】
本発明の実施の一形態を図１ないし図４を参照して以下に説明する。なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００３１】
本実施の形態の体表マッサージ装置１００は、前後対象および左右対称の形状に形成されている。本実施の形態の体表マッサージ装置１００は、顔面ＰＦなどの体表をマッサージすることに利用される。
【００３２】
このため、本実施の形態の体表マッサージ装置１００は、図１および図２に示すように、上下方向に細長く手指ＨＦで把持されるハンドル部材１１０と、ハンドル部材１１０の上端に位置していて左右方向に一列に配列されている各々球状の複数の連設回転部材１２０と、複数の連設回転部材１２０をハンドル部材１１０の上端で左右方向と平行な軸心方向で個々に回転自在に軸支している上部回転機構１３０と、ハンドル部材１１０の下端に位置していて軸心方向が上下方向と平行な回転体状の単独回転部材１４０と、単独回転部材１４０をハンドル部材１１０の下端で上下方向と平行な軸心方向で回転自在に軸支している下部回転機構１５０と、を有する。
【００３３】
より具体的には、上部回転機構１３０は、ハンドル部材１１０の上端から上方にＵ字状に形成されているＵ型支持部１３１と、Ｕ型支持部１３１の左右一対の上端に連結されていて複数の連設回転部材１２０を軸支している回転支持軸１３２と、Ｕ型支持部１３１の左右両端に個々に固定されている回転不能の球状の一対の球状固定部材１３３と、を有する。この球状固定部材１３３は、連設回転部材１２０より小径に形成されている。
【００３４】
連設回転部材１２０は、真球状に形成されている。一方、単独回転部材１４０は、軸心方向が上下方向と平行で少なくとも下端が半球状に成形された円柱状に形成されている。
【００３５】
そして、この単独回転部材１４０は、連設回転部材１２０より大径に形成されている。なお、この単独回転部材１４０は、下部回転機構１５０によりボールベアリング(図示せず)で軸支されている。
【００３６】
なお、本実施の形態の体表マッサージ装置１００は、連設回転部材１２０と単独回転部材１４０とを内包する全体がチタンを主成分とする金属で形成されている。さらに、その表面はチタンとゲルマニウムとを主成分とする合金膜で被覆されている。
【００３７】
上述のような構成において、本実施の形態の体表マッサージ装置１００を使用するときは、例えば、図３に示すように、上端が上方に位置する状態でハンドル部材１１０を手指ＨＦで把持し、連設回転部材１２０を顔面ＰＦなどの体表に接触させて上下方向に往復移動させる。
【００３８】
すると、一列に配列されている複数の連設回転部材１２０が個々に回転しながら体表を転動する。このため、一列に配列されている複数の連設回転部材１２０により、顔面ＰＦの頬部などの広範部がマッサージされる。
【００３９】
また、図４に示すように、下端が上方に位置する状態でハンドル部材１１０を手指ＨＦで把持し、単独回転部材１４０を顔面ＰＦなどの体表に接触させて左右方向に往復移動させることもできる。この場合、単独回転部材１４０が回転しながら体表を転動する。このため、一個の単独回転部材１４０により、顔面ＰＦの鼻横などの狭小部もマッサージされる。
【００４０】
本実施の形態の体表マッサージ装置１００は、上述のように一列に配列されている複数の連設回転部材１２０と一個の単独回転部材１４０により、簡単な操作で体表をマッサージすることができる。
【００４１】
特に、一列に配列されている複数の連設回転部材１２０により、顔面ＰＦの頬部などの広範部も良好にマッサージすることができ、一個の単独回転部材１４０により、顔面ＰＦの鼻横などの狭小部も良好にマッサージすることができる。従って、凹凸がある顔面ＰＦなどの全域を、良好な効率で隅々までマッサージすることができる。
【００４２】
しかも、本実施の形態の体表マッサージ装置１００では、一列に配列されている複数の連設回転部材１２０が球状に形成されており、個々に自在に回転する。このため、顔面ＰＦの頬部などの広範部を、安全にマッサージすることができる。
【００４３】
また、単独回転部材１４０は、下端が半球状に成形された円柱状に形成されている。このため、顔面ＰＦなどの体表の各部を、その円柱状の外周面でマッサージすることもでき、その半球状の下端でマッサージすることもできる。
【００４４】
さらに、連設回転部材１２０は、一本の回転支持軸１３２で複数の連設回転部材１２０を軸支している。このため、複数の連設回転部材１２０が簡単な構造で個々に回転自在に軸支されている。
【００４５】
一方、単独回転部材１４０は、下部回転機構１５０によりボールベアリングで軸支されている。このため、大径の単独回転部材１４０は、ボールベアリングを有する下部回転機構１５０により円滑に回転自在に軸支されている。
【００４６】
さらに、一列に配列されている球状の連設回転部材１２０の両側には、より小径な球状固定部材１３３が形成されている。このため、単独回転部材１４０でもマッサージできない狭小部でも、球状固定部材１３３でマッサージすることができる。
【００４７】
しかも、本実施の形態の体表マッサージ装置１００は、人体との適合性が良好なチタンで形成されており、人体に良好な作用があるとされているゲルマニウムとチタンとの合金膜で表面が被覆されている。このため、押圧によるマッサージだけでなく、特有の金属による体表の健康効果も期待することができる。
【００４８】
なお、上記形態では体表マッサージ装置１００を顔面ＰＦに使用することを例示したが、当然ながら、顔面ＰＦ以外の部分に使用してもよい。また、上記形態では体表マッサージ装置１００を軸心方向が略上下方向となる状態に把持して使用することを例示したが、当然ながら、軸心方向が左右方向や前後方向などとなる状態に把持して使用してもよい。
【００４９】
なお、本発明は本実施の形態に限定されるものではなく、その要旨を逸脱しない範囲で各種の変形を許容する。例えば、上記形態では回転自在に一列に軸支されている連設回転部材１２０が四個であることを例示した。しかし、図５に示すように、回転自在に一列に軸支されている連設回転部材１２０が五個以上でもよく、三個以下でもよい。
【００５０】
また、上記形態ではハンドル部材１１０が一本の軸状に形成されていることを例示した。しかし、図５ないし図７に例示する体表マッサージ装置１０００のように、一個の下部ユニット２００と複数の上部ユニット３００，４００，５００とが、別体で着脱自在に形成されていてもよい。
【００５１】
この体表マッサージ装置１０００では、ハンドル部材は、長手方向に着脱自在なハンドル下部２１０とハンドル上部３１０，４１０，５１０からなる。ハンドル下部２１０の上端には雌ネジ２１１が形成されており、ハンドル上部３１０，４１０，５１０の下端には雄ネジ３１１，４１１，５１１が形成されている。
【００５２】
前述の体表マッサージ装置１００と同様に、ハンドル下部２１０の下端には、下部回転機構１５０により単独回転部材１４０が回転自在に装着されている。そして、第一の上部ユニット３００では、図５に示すように、前述の体表マッサージ装置１００と同様に、連設回転部材１２０が上部回転機構１３０によりハンドル上部３１０に装着されている。
【００５３】
一方、第二および第三の上部ユニット４００，５００では、図６および図７に示すように、ハンドル上部４１０，５１０の上端に位置していて軸心方向が上下方向と平行な回転体状のアタッチメント回転部材４２０，５２０と、アタッチメント回転部材４２０，５２０をハンドル上部の上端で上下方向と平行な軸心方向で回転自在に軸支しているアタッチメント回転機構４３０，５３０と、を有する。
【００５４】
さらに、アタッチメント回転部材４２０は、上端が半球状に成形された円柱状のアタッチメント回転本体４２１，５２１と、アタッチメント回転本体４２１，５２１の外周面に形成されたアタッチメント凸部４２２，５２２と、を有する。
【００５５】
ただし、第二の上部ユニット４００では、図６に示すように、アタッチメント回転部材４２０は、上下方向と平行な半円柱状の複数のアタッチメント凸部４２２がアタッチメント回転本体４２１の外周面に周面方向に連設されている。この上部ユニット４００では、例えば、アタッチメント回転本体４２１の外周面に四本のアタッチメント凸部４２２が等間隔に配列されている。
【００５６】
また、第三の上部ユニット５００では、図７に示すように、半球状の複数のアタッチメント凸部５２２がアタッチメント回転本体５２１の外周面に周面方向と軸心方向とに連設されている。
【００５７】
この上部ユニット５００では、例えば、アタッチメント回転本体５２１の外周面にアタッチメント凸部５２２が四列に等間隔に形成されており、その奇数列では上下方向に五個のアタッチメント凸部５２２が配列されているとともに複数列では六個が配列されている。
【００５８】
なお、第二および第三の上部ユニット４００，５００のアタッチメント回転部材４２０，５２０は、単独回転部材１４０より大径かつ長軸に形成されている。また、この体表マッサージ装置１０００も、その全体がチタンを主成分とする金属で形成されており、その表面の全域がチタンとゲルマニウムとを主成分とする合金膜で被覆されている。
【００５９】
このような体表マッサージ装置１０００では、利用者の所望により一個の下部ユニット２００に複数の上部ユニット３００，４００，５００を選択的に装着して利用することができる。
【００６０】
下部ユニット２００に第一の上部ユニット３００を装着した場合は、前述の体表マッサージ装置１００と同様に機能することができる。第二または第三の上部ユニット４００，５００を装着した場合は、図８に示すように、そのアタッチメント回転部材４２０，５２０を顔面ＰＦなどの体表に接触させて左右方向に往復移動させることができる。
【００６１】
この場合、アタッチメント回転部材４２０，５２０が回転しながら体表を転動する。ただし、第二の上部ユニット４００では、アタッチメント回転部材４２０の外周面に半円柱状の複数のアタッチメント凸部４２２が連設されている。
【００６２】
一方、第三の上部ユニット５００では、アタッチメント回転部材５２０の外周面に半球状の複数のアタッチメント凸部５２２が周面方向と軸心方向とに連設されている。このため、アタッチメント回転部材４２０，５２０では、単独回転部材１４０とも相違する独自のマッサージ効果を得ることができる。
【００６３】
特に、第二および第三の上部ユニット４００，５００のアタッチメント回転部材４２０，５２０は、単独回転部材１４０より大径かつ長軸に形成されている。このため、単独回転部材１４０より効率的に広範部をマッサージすることができる。
【００６４】
なお、上述の体表マッサージ装置１０００では、単独回転部材１４０が下端に装着されている下部ユニット２００に、複数の連設回転部材１２０が一列に装着されている第一の上部ユニット３００、アタッチメント回転部材４２０の外周面に半円柱状の複数のアタッチメント凸部４２２が連設されている第二の上部ユニット４００、アタッチメント回転部材５２０の外周面に半球状の複数のアタッチメント凸部５２２が周面方向と軸心方向とに連設されている第三の上部ユニット５００、が着脱自在に装着されることを例示した。
【００６５】
しかし、複数の連設回転部材１２０が一列に装着されている第一の上部ユニットに、単独回転部材１４０が下端に装着されている第一の下部ユニット、アタッチメント回転部材４２０の外周面に半円柱状の複数のアタッチメント凸部４２２が連設されている第二の下部ユニット、アタッチメント回転部材５２０の外周面に半球状の複数のアタッチメント凸部５２２が周面方向と軸心方向とに連設されている第三の下部ユニット、が着脱自在に装着されてもよい(図示せず)。
【００６６】
また、上記形態の体表マッサージ装置１００では、下端が半球状に成形された円柱状に単独回転部材１４０が形成されていることを例示した。しかし、このような単独回転部材は、前述したアタッチメント回転部材４２０と同様に、上下方向と平行な半円柱状の複数の異形凸部が円筒状の下部回転本体の外周面に周面方向に連設されていてもよい(図示せず)。
【００６７】
また、単独回転部材は、前述したアタッチメント回転部材５２０と同様に、半球状の複数の異形凸部が円筒状の下部回転本体の外周面に周面方向と軸心方向とに連設されていてもよい(図示せず)。
【００６８】
さらに、上記形態では体表マッサージ装置１００の全体がチタンで形成されており、その表面がゲルマニウムとチタンとの合金膜で被覆されていることを例示した。しかし、このような合金膜で被覆されることなくチタンが直接に露出していてもよい。
【００６９】
また、体表マッサージに利用される連設回転部材１２０や単独回転部材１４０のみがチタンで形成されていてもよく、これらの部分のみがゲルマニウムとチタンとの合金膜で被覆されていてもよい。
【００７０】
さらに、上述のような体表マッサージ装置１００の少なくとも連設回転部材１２０や単独回転部材１４０などの表面が、ゲルマニウム、セラミック、ブラックシリカ、等の健康効果を期待できる材質で形成されていてもよい。また、体表マッサージ装置１００の少なくとも連設回転部材１２０や単独回転部材１４０などが、永久磁石で形成されていてもよい(図示せず)。
【００７１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００７２】
【図１】本発明の実施の形態の体表マッサージ装置の外観を示す正面図および側面図である。
【図２】平面図および底面図である。
【図３】体表マッサージ装置を体表である顔面に使用している状態を示す模式図である。
【図４】他の使用状態を示す模式図である。
【図５】一変形例の体表マッサージ装置の下部ユニットと第一の上部ユニットとの外観を示す正面図および側面図である。
【図６】下部ユニットと第二の上部ユニットとの外観を示す正面図および側面図である。
【図７】下部ユニットと第三の上部ユニットとの外観を示す正面図および側面図である。
【図８】一変形例の体表マッサージ装置の使用状態を示す模式図である。
【符号の説明】
【００７３】
１００    体表マッサージ装置
１１０    ハンドル部材
１２０    連設回転部材
１３０    上部回転機構
１３１    Ｕ型支持部
１３２    回転支持軸
１３３    球状固定部材
１４０    単独回転部材
１５０    下部回転機構
２００    下部ユニット
２１０    ハンドル下部
２１１    雌ネジ
３００    上部ユニット
３１０    ハンドル上部
３１１，４１１，５１１    雄ネジ
４００    上部ユニット
４１０，５１０    ハンドル上部
４２０    アタッチメント回転部材
４２１    アタッチメント回転本体
４２２    アタッチメント凸部
４３０，５３０    アタッチメント回転機構
５００    上部ユニット
５２０    アタッチメント回転部材
５２１    アタッチメント回転本体
５２２    アタッチメント凸部
１０００    体表マッサージ装置
ＨＦ    手指
ＰＦ    顔面
【図１】
2009142527.tif 000003
【図２】
2009142527.tif 000004
【図３】
2009142527.tif 000005
【図４】
2009142527.tif 000006
【図５】
2009142527.tif 000007
【図６】
2009142527.tif 000008
【図７】
2009142527.tif 000009
【図８】
2009142527.tif 000010